(57)【特許請求の範囲】
【請求項１】
電子機器に設けられた複数のファンのうちの一つを除いた残りの前記ファンが回転している状態で、前記一つのファンを別のファンに交換し、
前記複数のファンの各々の設定回転数を下げ、
前記別のファンの電源を入れ、
前記電源を入れた後、予め設定された閾値回転数に前記別のファンの回転数が規定時間内に到達しない場合には、前記別のファンの電源を切り、所定時間だけ待機した後に再び前記別のファンの電源を入れることを特徴とする電子機器におけるファンの保守方法。
【請求項２】
前記閾値回転数は、前記設定回転数以下に設定されたことを特徴とする請求項１に記載の電子機器におけるファンの保守方法。
【請求項３】
前記所定時間は、前記別のファンの回転数が、前記別のファンの電源を切ってから前記電源を入れたときの回転数に一致するのに要する時間よりも短いことを特徴とする請求項１又は請求項２に記載の電子機器におけるファンの保守方法。
【請求項４】
前記電源を入れた後、前記閾値回転数に前記別のファンの回転数が前記規定時間内に到達した場合には、前記複数のファンの各々の前記設定回転数を増加させることを特徴とする請求項１乃至請求項３のいずれか１項に記載の電子機器におけるファンの保守方法。
【請求項５】
前記別のファンの回転数が前記規定時間内に前記閾値回転数に到達していないと判断された場合に、前記別のファンに交換した時点から制限時間を経過しているときには、前記複数のファンの各々の前記設定回転数を増加させることを特徴とする請求項１乃至請求項４のいずれか１項に記載の電子機器におけるファンの保守方法。
【発明の詳細な説明】
【技術分野】
【０００１】
本発明は、電子機器におけるファンの保守方法に関する。
【背景技術】
【０００２】
サーバ等の電子機器には、内部の電子部品を冷却するためのファンが設けられる。ファンが一つしかないと、そのファンが故障した場合に電子部品を冷却することができず、電子部品の温度がその動作保証温度を超えてしまうおそれがある。
【０００３】
そのため、電子機器には複数のファンが設けられており、いずれか一つのファンが故障した場合でも、残りのファンを回転させ続けることで電子部品を冷却できるようにしている。
【先行技術文献】
【特許文献】
【０００４】
【特許文献１】特開平９−２７５２８９号公報
【特許文献２】特開２００６−１６５３１２号公報
【発明の概要】
【発明が解決しようとする課題】
【０００５】
ところで、上記のように電子機器に複数のファンを設けた場合に、故障したファンを交換のために電子機器から取り外すと、取り外した部分の電子機器に風穴があくことになる。そして、残りのファンで生成された風がその風穴を通って電子機器の外に漏れ出ることがある。
【０００６】
このように風が漏れ出ている所に新品のファンを設けると、風によってそのファンが逆回転し、そのファンの電源を入れても所定の回転数に達するまでに長時間を要してしまう。
【０００７】
ファンには、異物等によって回転が停止した場合にモータが焼付くデッドロックと呼ばれる故障が生じることがある。そのデッドロックを検出するための検出ユニットがファンに内蔵されており、前述のように所定の回転数に達するまで長時間を要すると、その検出ユニットがデッドロックの発生を誤って検出してしまう。こうなると、安全を確保するために検出ユニットがそのファンを停止させてしまい、ファンで風を生成できなくなってしまう。
【０００８】
開示の技術は、上記に鑑みてなされたものであって、ファンにデッドロックが生じたことを誤って検知するのを防止することができる電子機器におけるファンの保守方法を提供することを目的とする。
【課題を解決するための手段】
【０００９】
以下の開示の一観点によれば、電子機器に設けられた複数のファンのうちの一つを除いた残りの前記ファンが回転している状態で、前記一つのファンを別のファンに交換し、前記複数のファンの各々の設定回転数を下げ、前記別のファンの電源を入れ、前記電源を入れた後、予め設定された閾値回転数に前記別のファンの回転数が規定時間内に到達しない場合には、前記別のファンの電源を切り、所定時間だけ待機した後に再び前記別のファンの電源を入れる電子機器におけるファンの保守方法が提供される。
【発明の効果】
【００１０】
以下の開示によれば、ファンにデッドロックが生じたことを誤って検知するのを防止することができる。
【図面の簡単な説明】
【００１１】
【図１】図１は、検討に使用した電子機器の内部の平面図である。
【図２】図２は、交換された新品のファンの回転数が時間と共にどのように変化するのかを示すグラフである。
【図３】図３は、風が逆流するのを防止し得るファンの斜視図である。
【図４】図４は、本実施形態に係る電子機器の斜視図である。
【図５】図５は、電子機器の機能ブロック図である。
【図６】図６は、ファンの保守方法について示すフローチャートである。
【図７】図７は、ファンの保守方法について模式的に示すタイミングチャートである。
【図８】図８は、規定回転数Raの最低値について説明するためのグラフである。
【発明を実施するための最良の形態】
【００１２】
本実施形態の説明に先立ち、本願発明者が検討した事項について説明する。
【００１３】
図１は、検討に使用した電子機器の内部の平面図である。
【００１４】
この電子機器１は、例えばサーバであって、筐体２とその内部に収容された回路基板４とを有する。その回路基板４にはCPU(Central Processing Unit)やメモリ等の複数の電子部品５が搭載されており、これらの電子部品５を冷却するための複数のファン３が筐体２の前面に設けられる。
【００１５】
なお、各ファン３には、前述のデッドロックが生じたことを検出するための検出ユニット３ａが設けられている。
【００１６】
図１の例では、四個のファン３のうち点線で示す一つのファンが故障しており、当該一つのファン３が交換のために筐体２から取り外され、取り外した部分に風穴２ａが空いた場合を想定している。
【００１７】
この場合、残りのファン３で生成された風Aが風穴２ａを通って筐体２の外部に逆流する。
【００１８】
特に、回路基板４の上に複数の電子部品５が高密度に実装されている場合には、筐体２の内部を風Aが流通し難くなるため、風Aが風穴２ａを通って逆流し易くなる。また、各ファン３として風量が大きな高性能のファンを用いた場合にも逆流が発生し易くなる。
【００１９】
このように逆流が発生している状態において、故障しているファン３を新品のファン３に交換すると、以下のように新品のファンにデッドロックが生じていると誤検知するおそれがある。
【００２０】
これについて図２を参照しながら説明する。
【００２１】
図２は、交換された新品のファン３の回転数が時間と共にどのように変化するのかを示すグラフであって、横軸はファン３の電源を入れてからの経過時間を示し、縦軸はファン３の回転数を示す。
【００２２】
なお、ファン３には不図示のモータが設けられているが、負の回転数はそのモータとは逆向きに回転している逆回転の状態を表し、正の回転数はモータと同じ向きに回転している正回転の状態を表す。
【００２３】
また、図２においては、前述のように風が逆流している場合と、風が逆流していない場合の各々のグラフを併記してある。
【００２４】
更に、この例では、原点よりも左側の時刻trにおいて筐体２に新品のファン３が挿入され、原点において新品のファン３の電源が入れられたことを想定している。図２において「オン」と「オフ」で示される期間は、ファン３の電源がオンの期間とオフの期間をそれぞれ示す。
【００２５】
ファン３にデッドロックが生じている場合には、異物等によってファン３の回転が阻害されるため、電源を入れてからある程度の時間が経過しても回転数がなかなか上昇しない。
【００２６】
そこで、この例では判定時間tjと閾値回転数R0とを予め定めておき、判定時間tj内に回転数が閾値回転数R0に到達しない場合にはファン３にデッドロックが生じていると判定し、そうでない場合にはデッドロックは生じていないと判定する。この判定は、ファン３の回転数を検出ユニット３ａ（図１参照）がモニタすることにより、当該検出ユニット３ａが行う。
【００２７】
図２に示すように、逆流が生じていない場合には、原点において電源を入れるとすぐに回転数が上昇し、判定時間tj内に回転数が閾値回転数R0を超える。よって、この場合にデッドロックが生じていると誤検知される可能性は低い。
【００２８】
一方、逆流が生じている場合には、原点で電源を入れる前に風の逆流によってファン３が逆回転している。そのため、原点で電源を入れても回転数が閾値回転数R0に到達するまで長時間を要し、判定時間tjを経過しても回転数が閾値回転数R0を超えない。よって、この場合には、ファン３にデッドロックが生じていると検出ユニット３ａが誤検知してしまう。
【００２９】
このようにデッドロックが生じていると誤検知されると、安全を確保するために検出ユニット３ａがファン３を強制的に停止させてしまい、ファン３で風を生成できなくなってしまう。
【００３０】
このような不都合を回避するには、ファン３の交換時に風が逆流しないようにすればよいとも考えられる。
【００３１】
図３は、風が逆流するのを防止し得るファン１０の斜視図である。
【００３２】
このファン１０は、羽根１１を備えた本体１２と、羽根１１と対向する位置に設けられた複数のフラップ１３とを有する。フラップ１３は、羽根１１によって風Aが生成されている場合にはその風Aの風圧によって開き、風Aがない場合には自重によって閉じる。
【００３３】
そして、ファン１０が故障した場合には、フラップ１３が閉じている状態で本体１２のみを新品に交換する。これによれば、交換時にフラップ１３が閉じているため、前述のように風Aが逆流することはない。
【００３４】
しかし、この構造ではフラップ１３を設けるための奥行きDが必要となり、電子機器１（図１参照）の小型化が難しくなる。
【００３５】
なお、奥行きDを狭めるためにフラップ１３を羽根１１に近づけることも考えられる。しかし、羽根１１を出た直後の風Aは乱流状態であるため、フラップ１３の揚力が安定せず、フラップ１３がバタついてしまう。よって、フラップ１３のバタつきを防止するには、ある程度の奥行きDが必要となってしまう。
【００３６】
以下、本実施形態について説明する。
【００３７】
（本実施形態）
図４は、本実施形態に係る電子機器の斜視図である。
【００３８】
この電子機器２０は、例えばラックマウント型のサーバであって、ラック２２内に複数収容される。また、各電子機器２０には、それらの内部に設けられたCPU等の電子部品２３を冷却するための複数のファン２１が設けられる。
【００３９】
図５は、一つの電子機器２０の機能ブロック図である。
【００４０】
図５に示すように、電子機器２０は、電源ユニット２５と、制御ユニット２６と、ファン２１とを備える。なお、図５では、図４に示した電子部品２３を省略している。
【００４１】
この例では、一つの電子機器２０に複数のファン２１を設けることで、いずれかのファン２１が故障しても、残りのファン２１で電子機器２０の内部を冷却する風Aを生成できるようにする。以下では、ファン２１の各々に符号#1、#2、#3を付すことにより各ファン２１を区別する。
【００４２】
また、これらのファン２１は、電子機器２０にファン２１が実装されているか否かを示す状態信号IST#1〜IST#3を制御ユニット２６に出力する。
【００４３】
状態信号IST#1〜IST#3の生成方法は特に限定されない。例えば、ファン２１が電子機器２０に実装されている場合には、その電子機器２０のグランド線の接地電位をローレベルの状態信号IST#1〜IST#3として出力し、そうでない場合には状態信号IST#1〜IST#3をハイレベルにすればよい。
【００４４】
更に、ファン２１は、その実際の回転数を示す回転数信号RT#1〜RT#3を制御ユニット２６に出力する。
【００４５】
また、電源ユニット２５は、例えば交流電圧を直流電圧に変換し、その直流電圧を電源線２９に出力する。電源線２９は各ファン２１に接続されており、これにより各ファン２１は電源ユニット２５の電力を受けることができる。
【００４６】
一方、制御ユニット２６は、ファン２１の設定回転数を含む回転数制御信号CT#1〜CT#3をファン２１に出力する。回転数制御信号CT#1〜CT#3に含まれる設定回転数は、ファン２１の回転数の目標値であって、その設定回転数になるように各ファン２１が回転する。
【００４７】
また、制御ユニット２６は、電源制御信号TC#1〜TC#3をスイッチSW1〜SW3に出力する。スイッチSW1〜SW3は、電源ユニット２５と各ファン２１との間の電源線２９に設けられており、TC#1〜TC#3はこれらのスイッチSW1〜SW3のオンオフを制御する制御信号である。
【００４８】
例えば、電源制御信号TC#1によってスイッチSW1がオン状態となると、電源ユニット２５の電力が#1のファン２１に供給されて当該ファン２１の電源が入り、そのファン２１が回転する。これとは逆に、電源制御信号TC#1によってスイッチSW1がオフ状態となるとファン２１の電源が切られる。これについては#2と#3のファン２１についても同様である。
【００４９】
更に、制御ユニット２６にはタイマAとタイマBとが設けられる。これらのタイマの機能については後述する。
【００５０】
また、複数のファン２１のそれぞれには、ファン２１にデッドロックが生じているか否かを検出する検出ユニット２１ａが設けられる。
【００５１】
検出ユニット２１ａがデッドロックを検出する方法は図２で説明したのと同様である。例えば、検出ユニット２１ａは、ファン２１の電源を入れてから判定時間tj内にファン２１の実際の回転数が閾値回転数R0に到達しない場合にはファン２１にデッドロックが生じていると判定し、そうでない場合にはデッドロックは生じていないと判定する。
【００５２】
この例では、デッドロックの判断に使用する閾値回転数R0として、前述の回転数制御信号CT#1〜CT#3に含まれる設定回転数を使用する。例えば、#1のファン２１の実際の回転数が判定時間tj内に設定回転数に到達しないと、#1のファン２１にデッドロックが発生していると検出ユニット２１ａによって判定される。
【００５３】
なお、閾値回転数R0はこれに限定されず、閾値回転数R0を設定回転数以下に設定してもよい。
【００５４】
次に、ファン２１を別のファンに交換した際に検出ユニット２１ａがデッドロックを誤検知するのを防止できるファンの保守方法について説明する。
【００５５】
図６は、ファン２１の保守方法について示すフローチャートである。
【００５６】
図６の例では、#1と#2のファン２１が回転している状態で、#3のファン２１を別のファン２１に交換する場合を想定している。このように他のファン２１の回転を止めずにファン２１を交換する作業は活性交換とも呼ばれる。
【００５７】
図６に示すように、各ステップは処理A〜処理Dに大別される。
【００５８】
このうち、処理Aは事前処理であり、処理Bは、デッドロックに至る可能性が高いかどうかを監視する処理である。そして、処理Cはデッドロックの監視を停止する処理であり、処理Dは事後処理である。
【００５９】
また、図７は、ファン２１の保守方法について模式的に示すタイミングチャートであって、前述の回転数信号RT#1〜RT#3、回転数制御信号CT#1〜CT#3、状態信号IST#1〜IST#3、及び電源制御信号TC#1〜TC#3の時間変化を示す。更に、図７には、図６の処理A〜処理Dも併記してある。
【００６０】
最初に、図６の処理Aについて説明する。
【００６１】
まず、ステップS1において、#3のファン２１が別のファン２１に交換されてその別のファン２１が電子機器２０に実装されているか否かを制御ユニット２６が判断する。制御ユニット２６は、状態信号IST#3がローレベルのときに交換された（YES）と判断し、状態信号IST#3がハイレベルのときに交換されていない（NO）と判断し得る。
【００６２】
ここで、交換されていない（NO）と判断した場合には処理を終了する。
【００６３】
一方、交換された（YES）と判断した場合にはステップS2に移る。
【００６４】
ステップS2においては、制御ユニット２６が前述のタイマAをスタートさせる。タイマAは、ステップS1において#3のファン２１を別のファンに交換した時点trからの制限時間taをカウントする。制限時間taの意義については後述する。
【００６５】
なお、図７に示すように、交換対象ではない残りの#1、#2のファン２１はこの時点trでは通常の回転数で回転しており、それらのファン２１の回転数制御信号CT#1、CT#2に含まれる設定回転数はRbである。
【００６６】
また、この時点trではTC#3はオフ状態であり、交換された#3のファン２１の電源は入っていない。
【００６７】
次に、ステップS3に移り、全ての回転数制御信号CT#1〜CT#3に含まれる設定回転数を上記のRbよりも小さい規定回転数Raに下げる。
【００６８】
これにより、交換対象ではない#1、#2のファン２１で生成された風Aの風量が弱まるため、交換された#3のファン２１がその風Aによって逆回転したとしても、その逆回転の回転数を小さくすることができる。
【００６９】
しかも、前述のように検出ユニット２１ａがデッドロックの有無を判断するための閾値回転数R0を設定回転数以下としたため、その設定回転数を上記のように下げることで、閾値回転数R0も規定回転数Ra以下に引き下げられる。その結果、検出ユニット２１ａによる判断が緩和され、検出ユニット２１ａによってデッドロックが誤検知される可能性が低くなる。
【００７０】
なお、規定回転数Raが低すぎると、電子機器２０内のCPU等の電子部品２３（図４参照）が冷却不足になるおそれがある。そのため、規定回転数Raに最低値を設け、電子部品２３が冷却不足になるのを防止するのが好ましい。
【００７１】
図８は、規定回転数Raの最低値について説明するためのグラフである。
【００７２】
このグラフは、ファン２１の設定回転数を引き下げた時点からの経過時間と、電子部品２３の温度（CPU温度）との関係を示すグラフである。
【００７３】
この例では、０秒の時点でCPU温度がTx℃であり、その時点からファン２１の設定回転数を引き下げた場合を想定している。
【００７４】
グラフに示すように、ファン２１の回転数を弱めたことで、時間の経過と共にCPU温度が上昇している。
【００７５】
CPUには動作保証温度Tjmaxが設定されており、これを超えないようにファン２１の規定回転数Raを定めるのが好ましい。図８の例では、回転数をRlmとすると、時間が経過してCPU温度が定常状態に達しても、CPU温度は動作保証温度Tjmaxを超えない。よって、回転数Rlmを規定回転数Raの最低値とすることで（Rlm≦Ra）、CPU温度がその動作保証温度Tjmaxを超えるのを防ぐことができる。
【００７６】
再び図６を参照する。
【００７７】
上記のようにステップS3を行った後は、ステップS4に移り、制御ユニット２６が前述のタイマBをスタートさせることにより、規定時間tbのカウントを開始する。規定時間tbは、#3のファン２１にデッドロックが生じていることを検出ユニット２１ａが誤検知する前にそのファン２１の電源を切る目安の時間である。
【００７８】
その規定時間tbが判定時間tj（図２参照）以上であると、少なくとも判定時間tjまではファン２１の電源が入れられた状態となる。そのため、判定時間tj内に回転数が閾値回転数を超えなかった場合に、検出ユニット２１ａによってデッドロックが誤検知される可能性がある。この可能性を排除するためには、規定時間tbを判定時間tjよりも短くするのが好ましい。
【００７９】
次いで、ステップS5に移り、電源制御信号TC#3でスイッチSW3をオン状態にすることにより、交換された#3のファン２１の電源を入れる。
【００８０】
ここで、図７に示すように、本ステップで電源を入れた時刻０の時点においては、交換された#3のファン２１の回転数を示すRT#3の値Rcは負となっている。これは、#1と#2のファン２１によって風が逆流し、それによりファン２１が逆回転をしているためである。
【００８１】
そして、本ステップで電源を入れると、#3のファン２１の回転数は上昇し始める。
【００８２】
以上により、図６の処理Aを終える。
【００８３】
次に、図６の処理Bに移る。
【００８４】
まず、ステップS6において、交換された#3のファン２１の実際の回転数Rが規定回転数Ra以上であるか否かを判断する。この判断は、制御ユニット２６が前述の回転数信号RT#3と規定回転数Raとを比較することにより行い得る。
【００８５】
ここで、前述のように検出ユニット２１ａがデッドロックの有無を判断するための閾値回転数は規定回転数Raであるため、本ステップで規定回転数Ra以上である（YES）と判断された場合には、検出ユニット２１ａがデッドロックを検出することはない。
【００８６】
よって、この場合には後述の処理Dに移る。
【００８７】
一方、本ステップにおいて規定回転数Ra以上ではない（NO）と判断された場合にはステップS7に移る。
【００８８】
ステップS7においては、タイマAのカウント値Taが前述の制限時間taを超えているか否かが制御ユニット２６により判断される。
【００８９】
前述のようにステップS3において全ての回転数制御信号CT#1〜CT#3に含まれる回転数が当初のRbよりも小さい規定回転数Raに下げられているため、各ファン２１の風量が弱い状態が現在まで続いている。この状態が続くと電子機器２０の電子部品２３（図４参照）がその動作保証温度Tjmaxを超えて冷却不足となってしまうので、ある程度の時間が経過したら各ファン２１の回転数を増加させるのが好ましい。
【００９０】
制限時間taは、電子機器２０内の電子部品２３の温度がその動作保証温度Tjmaxを超えない時間であり、この時間を過ぎたら各ファン２１の風量を増加させるのが好ましい。
【００９１】
よって、本ステップS7においてタイマAのカウント値が制限時間taを超えている（YES）と判断された場合には、処理Dに移ることで後述のように各ファン２１の回転数を上げ、電子機器２０の冷却不足を防止する。
【００９２】
一方、本ステップS7において制限時間taを超えていない（NO）と判断された場合にはステップS8に移る。
【００９３】
ステップS8においては、タイマBのカウント値Tbが前述の規定時間tbを超えているか否かが制御ユニット２６により判断される。
【００９４】
前述のように、規定時間tbは、交換された#3のファン２１にデッドロックが生じていることを検出ユニット２１ａが誤検知する前にそのファン２１の電源を切る目安の時間である。
【００９５】
よって、本ステップS8において規定時間tbを超えている（YES）と判断された場合には処理Cに移り、後述のように#3のファン２１の電源を切る。
【００９６】
一方、本ステップS8において規定時間tbを超えていない（NO）と判断された場合には、検出ユニット２１ａがデッドロックを誤検知するまでに時間的な余裕があるので、再びステップS6に戻る。
【００９７】
以上により処理Bを終える。
【００９８】
次に、処理Cについて説明する。
【００９９】
前述のように、処理Cは、交換された#3のファン２１にデッドロックが生じていることを検出ユニット２１ａが誤検知する前にそのファン２１の電源を切るために行われる。
【０１００】
そこで、最初のステップS9では、交換された#3のファン２１の電源を切る。本ステップは、制御ユニット２６が前述の電源制御信号TC#3によりスイッチSW3をオフ状態にすることで行い得る。
【０１０１】
これにより、図７の矢印Xが示すように、#3のファン２１の回転数を示すRT#3が低下し始める。
【０１０２】
そして、ステップS10に移り、所定時間tcだけ待機する。
【０１０３】
図７に示すように、所定時間tcは、#3のファン２１の回転数が、原点において電源を入れたときの回転数Rcに一致するのに要する時間より短く設定される。よって、#3のファン２１の回転数がRcよりも下がることはない。
【０１０４】
次いで、図６のステップS11に移り、所定時間tcの終了と同時に#3のファン２１の電源を入れる。本ステップは、制御ユニット２６が前述の電源制御信号TC#3によりスイッチSW3をオン状態にすることで行い得る。
【０１０５】
そして、ステップS12に移り、タイマBのカウント値を０にリセットする。なお、このようにリセットをしても、タイマBはカウントをし続ける。
【０１０６】
この後は、処理BのステップS6に再び戻る。
【０１０７】
以上により、処理Cを終える。
【０１０８】
上記した処理Cによれば、ステップS11において、#3のファン２１の回転数が元の回転数Rcに戻る前に当該ファン２１の電源を入れる。
【０１０９】
そのため、図７の矢印Yが示すように、#3のファン２１の電源を最初に入れたときと比較して、#3のファン２１の回転数を示す回転数信号RT#3が容易に増加する。その結果、デッドロックの有無を判断するための閾値回転数である規定回転数Raをその回転数信号RT#3が超え易くなり、検出ユニット２１ａがデッドロックを誤検知する可能性を低くすることができる。
【０１１０】
次に、処理Dについて説明する。
【０１１１】
まず、ステップS13において、制御ユニット２６が回転数制御信号CT#1〜CT#3に含まれる設定回転数を元のRbに戻すことにより、#1〜#3の全てのファン２１の回転数を増加させる。
【０１１２】
これにより、各ファン２１の風量が増えるため、電子機器２０の内部が冷却不足になるのを防止できる。
【０１１３】
続いて、ステップS14に移り、制御ユニット２６の制御下においてタイマAとタイマBの各々のカウント動作を停止させる。
【０１１４】
そして、ステップS15に移り、制御ユニット２６がタイマAとタイマBの各々のカウント値を０にリセットする。
【０１１５】
以上により処理Dを終える。
【０１１６】
上記した本実施形態によれば、ステップS3において交換対象ではない#1と#2のファン２１の設定回転数を規定回転数Raに下げるため、これらのファン２１の風量が弱まる。そのため、交換直後の#3のファン２１の逆回転量が少なくなり、当該ファン２１の回転数がデッドロックの有無を判断するための閾値回転数である規定回転数Raを超え易くなり、検出ユニット２１ａがデッドロックを誤検知し難くなる。
【０１１７】
しかも、ステップS11において、#3のファン２１の回転数が元の回転数Rcに戻る前に当該ファン２１の電源を入れる。よって、最初に電源を入れたときよりもファン２１の回転数が増加するので、検出ユニット２１ａがデッドロックを誤検知する可能性を一層低くすることができる。
【０１１８】
以上説明した各実施形態に関し、更に以下の付記を開示する。
【０１１９】
（付記１）  電子機器に設けられた複数のファンのうちの一つを除いた残りの前記ファンが回転している状態で、前記一つのファンを別のファンに交換し、
前記複数のファンの各々の設定回転数を下げ、
前記別のファンの電源を入れ、
前記電源を入れた後、予め設定された閾値回転数に前記別のファンの回転数が規定時間内に到達しない場合には、前記別のファンの電源を切り、所定時間だけ待機した後に再び前記別のファンの電源を入れることを特徴とする電子機器におけるファンの保守方法。
【０１２０】
（付記２）  前記閾値回転数は、前記設定回転数以下に設定されたことを特徴とする付記１に記載の電子機器におけるファンの保守方法。
【０１２１】
（付記３）  前記所定時間は、前記別のファンの回転数が前記電源を入れたときの回転数に一致するのに要する時間よりも短いことを特徴とする付記１又は付記２に記載の電子機器におけるファンの保守方法。
【０１２２】
（付記４）  前記規定時間は、前記別のファンにデッドロックが生じていると判定される判定時間よりも短いことを特徴とする付記１乃至付記３のいずれかに記載の電子機器におけるファンの保守方法。
【０１２３】
（付記５）  前記電源を入れた後、前記閾値回転数に前記別のファンの回転数が前記規定時間内に到達した場合には、前記複数のファンの各々の前記設定回転数を増加させることを特徴とする付記１乃至付記４のいずれかに記載の電子機器におけるファンの保守方法。
【０１２４】
（付記６）  前記別のファンの回転数が前記規定時間内に前記閾値回転数に到達していないと判断された場合に、前記別のファンに交換した時点から制限時間を経過しているときには、前記複数のファンの各々の前記設定回転数を増加させることを特徴とする付記１乃至付記５のいずれかに記載の電子機器におけるファンの保守方法。
【０１２５】
（付記７）  前記制限時間は、前記電子機器内の電子部品の温度が前記電子部品の動作保証温度を超えない時間であることを特徴とする付記６に記載の電子機器におけるファンの保守方法。
【０１２６】
（付記８）  前記複数のファンの各々の前記設定回転数を下げるとき、前記電子機器内の電子部品の温度が前記電子部品の動作保証温度を超えないように、前記設定回転数を下げることを特徴とする付記１乃至付記７のいずれかに記載の電子機器におけるファンの保守方法。
【符号の説明】
【０１２７】
１、２０…電子機器、２…筐体、２ａ…風穴、３、１０、２１…ファン、３ａ…検出ユニット、４…回路基板、５、２３…電子部品、１１…羽根、１２…本体、１３…フラップ、２２…ラック、２５…電源ユニット、２６…制御ユニット。
【図１】
0006481574.tif 000002
【図２】
0006481574.tif 000003
【図３】
0006481574.tif 000004
【図４】
0006481574.tif 000005
【図５】
0006481574.tif 000006
【図６】
0006481574.tif 000007
【図７】
0006481574.tif 000008
【図８】
0006481574.tif 000009